【事件の表示】
　特願２００１−２８０９６０「信号再生ブロック」拒絶査定不服審判事件〔平成１５年　３月２８日出願公開、特開２００３−　９１９３１〕について、次のとおり審決する。
【結　論】
　本件審判の請求は、成り立たない。
【理　由】
１．手続の経緯
　
　本願は、平成１３年９月１７日の出願であって、平成１８年２月１５日に拒絶査定不服審判が請求されたものであって、その請求項１乃至９に係る発明は、平成１７年１２月９日付けの手続補正書により補正された明細書の記載からみて、本願特許請求の範囲１乃至９に記載された事項により特定されるとおりのものであるところ、その請求項１に係る発明（以下「本願発明」という。）は、次のとおりのものである。
　
「【請求項１】　アナログの入力信号を波形等化するフィルタと、該フィルタの出力信号を直接に受けてデジタル信号に変換するＡ／Ｄ変換器と、該Ａ／Ｄ変換器の出力信号を再生するデジタル信号処理部と、前記フィルタの特性測定時に該フィルタにテスト信号を入力して得られる特性情報信号を外部に出力するための出力信号線とを備えた信号再生ブロックであって、
　前記出力信号線は、前記Ａ／Ｄ変換器の出力側に配置されていることを特徴とする信号再生ブロック。」
　
２．引用例
　
　これに対し、原査定の拒絶の理由に引用された特開平８−２３５７８７号公報（以下「引用例１」という。）には、再生信号処理回路に関し、図面と共に、以下の記載がある。なお、下線は当審で付与した。
　
（１）「【０００１】
【産業上の利用分野】本発明は、磁気テープや光ディスクなどの各種記録媒体に記録されたデジタルデータの再生信号を入力信号とする再生信号処理回路の調整方法及び調整装置並びに
再生信号処理回路
　
（２）「【０００６】そこで、上述の如き従来の問題点に鑑み、本発明の目的は、
デジタルデータの再生信号を入力信号とし、この入力信号に波形等価処理を施す波形等価手段と、この波形等価手段により波形等価された入力信号のレベル制御を行う自動利得制御手段
上記自動制御利得制御手段によりレベル制御された入力信号を上記クロック信号に応じてデジタル化するアナログ／デジタル変換手段とを備える再生信号処理回路
　
（３）「【００２３】この図１に示した再生信号処理回路は、デジタルビデオテープレコーダの再生系において、図示しない
磁気テープに記録されたデジタルデータの再生信号を入力信号とし、波形等価器により波形等価した入力信号の信号レベルを自動利得制御（AGC：Automatic Gain Contorol）回路により制御して所定のダイナミックレンジにしてからアナログ／デジタル変換器によりデジタル化し、さらに信号処理手段によりデコード処理などの各種信号処理を施す再生信号処理回路
正弦波信号発生器４から正弦波信号が上記波形等価器２に供給されるようになっている。また、上記波形等価器２により波形等価された入力信号がＡＧＣ回路５を介してクロック生成部６とＡＤ変換器７に供給され、上記ＡＤ変換器によりデジタル化された入力信号が信号処理部８に供給されるとともに第１及び第２の積分回路９，１０を介して演算処理部１１に供給され、この演算増幅部９による演算処理結果に応じて動作する調整部１２により上記ＡＧＣ回路５及びクロック生成部６の動作状態が調整されるようになっている
【００２４】（省略）
【００２５】また、上記正弦波信号発生部４は、ナイキスト周波数ｆＮｙｑ＝ｆｓ／２＝２０．９２５ＭＨｚの１／２の周波数ｆＮｙｑ  ／２＝ｆｓ／４＝１０．４６２５ＭＮｚの正弦波信号Ｓ（ｆＮｙｑ  ／２）を発生するようになっている。そして、上記切換スイッチ３は、再生モード時に上記再生増幅器１を選択し、磁気テープから再生されたデジタルデータの再生信号を入力信号として上記波形等価器２に供給し、調整モード時に上記正弦波信号発生器４を選択して、上記正弦波信号Ｓ（ｆＮｙｑ ／２）を上記波形等価器２に供給するように制御部により制御されるようになっている。すなわち、上記入力切換スイッチ３及び正弦波信号発生器４は、
調整モード時に入力信号としてナイキスト周波数の１／２の周波数の正弦波信号を波形等価器２すなわち波形等価手段に入力する正弦波信号入力手段として機能する
【００２６】また、上記ＡＤ変換器７は、上記クロック生成部６から供給されるクロック信号ＣＫ（ｆｓ）に応じて動作して、
上記波形等価器２により波形等価されさらに上記ＡＧＣ回路５によりレベル制御された入力手段をデジタル化する
上記信号処理部８は、再生モード時に、上記ＡＤ変換器７によりデジタル化された入力信号すなわち図示しない磁気テープに記録されたデジタルデータの再生信号をデジタル化した量子化値列にデコード処理などの各種信号処理を施して、上記入力信号から再生データを生成する
【００２７】また、上記第１の積分回路９は、本発明に係る再生信号処理回路における第１の積分手段として機能するもので、調整モード時に、上記ＡＤ変換器７によりデジタル化された入力手段すなわち上記正弦波信号発生器４から上記波形等価器２に入力された正弦波信号Ｓ（ｆＮｙｑ ／２）をデジタル化した量子化値列について、上記クロックＣＫ（ｆｓ）の１／２の周波数のラッチクロックＬＣＫ１（ｆｓ／２）により奇数番目の量子化値Ｘ２ｎ−１をラッチして、その絶対値を累積加算すなわち積分して、その積分値を上記演算処理部１１に供給するようになっている。また、第２の積分回路１０は、本発明に係る再生信号処理回路における第２の積分手段として機能するもので、調整モード時に、上記ＡＤ変換器７によりデジタル化された入力信号すなわち上記正弦波信号発生器４から上記波形等価器２に入力された正弦波信号Ｓ（ｆＮｙｑ ／２）をデジタル化した量子化値列について、上記クロック信号ＣＫ（ｆｓ）の１／２の周波数のラッチクロックＬＣＫ１（ｆｓ／２）により偶数番目の量子化値Ｘ２ｎをラッチして、その絶対値を累積加算すなわち積分して、その積分値を上記演算処理部１１に供給するようになっている。」
　
（４）「【００３１】また、上記演算処理部１１は、本発明に係る再生信号処理回路における第１及び第２の差分検出手段として機能するもので、
調整モード時に、上記ＡＤ変換器７によりデジタル化された入力信号すなわち上記正弦波信号発生器４から上記波形等価器２に入力された正弦波信号Ｓ（ｆ
Ｎ
ｙｑ  ／２）をデジタル化した量子化値列
【００３２】さらに、
上記調整部１２は、本発明に係る再生信号処理回路におけるクロック位相調整手段及び利得調整手段
上記ＡＧＣ回路５の利得を調整する
　
（５）「【００３８】また、上記各絶対値｜X２ｎ−１｜，｜X２ｎ｜の差分を零にするようにクロック信号CK（ｆｓ）の位相を調整した状態で、
上記ＡＤ変換器７によりデジタル化された正弦波信号（ｆ
Ｎ
ｙｑ  ／２）の量子化値列X
ｎ
について、量子化値X
ｎ
の絶対値｜X
ｎ
｜と初定値Zとの差分を検出し、その検出結果に基づいて、上記所定値Ｚとの差分を零にするように、ＡＧＣ回路５の利得を調整する
　
　上記摘示事項及び図面の記載を参酌すると、引用例１には、次の発明が記載されているものと認める。
　
「入力信号に波形等価処理を施す波形等価器と、この波形等価器により波形等価された入力信号のレベル制御を行うＡＧＣ回路と、上記ＡＧＣ回路によりレベル制御された入力信号をデジタル化するＡＤ変換器と
　を備え、
　再生モード時、上記ＡＤ変換器によりデジタル化された入力信号に各種信号処理を施す信号処理部と、
　調整モード時、正弦波信号を上記波形等価器に入力し、上記ＡＤ変換器によりデジタル化された正弦波信号の量子化値列に基づいて、上記ＡＧＣ回路の利得を調整する
　再生信号処理回路。」
　
　同じく、原査定の拒絶の理由に引用された特開２０００−１５６６２７号公報（以下「引用例２」という。）には、アナログフィルタ回路及びその調整方法に関し、図面と共に以下の記載がある。
　
（６）「【００３４】図３中、１Ｆは電子回路１としてのＧｍ−Ｃフィルタ回路を示しており、後述する設定回路８およびアナライザ９は外部装置となる。…（略）…。」
　
（７）「【００４７】そして図３中、９はアナライザ、１０はテスト信号（検査信号）発生装置であり、テスト信号発生装置１０は、フィルタ回路本体３Ｆひいてはフィルタ回路１Ｆを調整するためのテスト信号を発生させ、このテスト信号はフィルタ回路本体３Ｆとアナライザ９とに入力される。アナライザ９は、フィルタ回路本体３Ｆの出力信号とテスト信号発生装置１０からのテスト信号とを入力され、それらの入力信号を分析してテスト信号に対応するフィルタ回路本体３Ｆの周波数応答値を計算し、その値を設定回路８に引き渡す。なお、アナライザ９とテスト信号発生装置１０とは一体に構成することもできる。」
　
３．対比
　
　本願発明と引用例１に記載された発明とを対比する。
（１）引用例１に記載された発明の「再生信号処理回路」は、記録媒体に記録されたデジタルデータの再生信号を入力信号とする再生信号処理回路であり、また、調整モード時、特性測定を行うことは明らかであるから、フィルタの特性測定であるか否かはともかく、本願発明の「信号再生ブロック」と共通するものである。
（２）引用例１に記載された発明における「波形等価器」「ＡＤ変換器」「信号処理部」「正弦波信号」及び「量子化値列」は、それぞれ本願発明の「フィルタ」「Ａ／Ｄ変換器」「デジタル信号処理部」「テスト信号」及び「特性情報信号」に相当する。
（３）引用例１に記載された発明は、調整モード時、ＡＤ変換器によりデジタル化された正弦波信号の量子化値列に基づいて、ＡＧＣ回路の利得を調整するものであるから、本願発明の「特性測定時にテスト信号を入力して得られる特性情報信号を出力するための出力信号線」に相当する構成を備えている。
　　
　そうすると、本願発明と引用例１に記載された発明とは、次の点で一致する。
　
＜一致点＞
「アナログの入力信号を波形等化するフィルタと、該フィルタの出力信号をデジタル信号に変換するＡ／Ｄ変換器と、該Ａ／Ｄ変換器の出力信号を再生するデジタル信号処理部と、特性測定時にテスト信号を入力して得られる特性情報信号を出力するための出力信号線とを備えた信号再生ブロックであって、
　前記出力信号線は、前記Ａ／Ｄ変換器の出力側に配置されている信号再生ブロック。」の点。
　
そして、次の各点で相違する。
　
＜相違点＞
（ａ）「Ａ／Ｄ変換器」について、本願発明は、フィルタの出力信号を「直接に受けて」 いるのに対し、引用例１に記載された発明は、「ＡＧＣ回路を介して」いる点。
　
（ｂ）「特性測定」について、本願発明は、「フィルタ」の特性測定であるのに対し、引用例１に記載された発明は、「ＡＧＣ回路」の調整（時の特性測定）である点。
　
（ｃ）出力信号線について、本願発明は、「外部に」出力するための信号線であるのに対し、引用例１に記載された発明は、外部に出力するための信号線ではない点。
　
４．当審の判断
　
　そこで、上記相違点について検討する。
　
（相違点ｂについて）
　機能の異なる複数の回路からなる電子回路においては、通常、それぞれの回路についてテスト（特性測定）を行うことが一般的であり、波形等価器（フィルタ）を有する再生信号処理回路においては、波形等価器の特性測定を行うことも当然のことである。
　そうすると、引用例１に記載された発明において、ＡＧＣ回路の調整（特性測定）に代えて、波形等価器の特性測定を行うようにすることは、当業者が適宜容易に想到できたものである。
　
（相違点ａについて）
　再生信号処理回路において、波形等価器をＡＤ変換器に直接接続する回路構成は、本願明細書の従来技術の記載、特開昭６１−１３７２８１号公報の【従来の技術】の記載、及び特開平５−１３５３１３号公報の【従来の技術】の記載等から周知である。
　一方、引用例１に記載された発明は、ＡＧＣ回路の調整（特性測定）を目的とし、ＡＧＣ回路をＡＤ変換器に直接接続するものである。
　また、波形等価器（フィルタ）の特性を測定するに際し、波形等価器をＡＤ変換器に直接接続させた方が、等価特性をより正確に検出できることは当業者には自明のことである。
　そうすると、引用例１に記載された発明において、ＡＧＣ回路の調整（特性測定）に代えて、波形等価器の特性測定を行う場合、本願発明の相違点ｂのように波形等価器をＡＤ変換器に直接接続する回路構成とすることは、当業者が適宜容易に想到できたものである。
　
（相違点ｃについて）
　引用例２には、アナログフィルタ回路の調整方法において、テスト信号を発生してフィルタ回路に入力し、該フィルタ回路の出力信号（特性情報信号）を外部装置に、即ちフィルタ回路の出力信号を外部に出力するものが記載されている。
　引用例２は、アナログフィルタ回路の調整に関する技術であり、本願発明と共通するものである。
　そうすると、引用例１に記載された発明において、引用例２に記載されているテスト信号のフィルタ回路出力を外部に出力するという技術を適用し、本願発明の 相違点ｃのようにすることは、当業者が適宜容易に想到できたものである。
　
　そして、上記各相違点を総合的に判断しても、本願発明が奏する効果は引用例１ないし引用例２に記載された発明及び周知技術から当業者が十分に予測できたものであって、格別なものとはいえない。
　
５．むすび
　
　以上のとおり、本願の請求項１に係る発明は、引用例１ないし引用例２に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。